(57)【要約】【目的】印刷態様を容易に変更できる融通可能なサテライト型印刷機を得る。【構成】共通圧胴（１）の外周に相当するサイドフレーム（２）の一部を切り欠いて共通取付部（１３）を形成しておき、この共通取付部（１３）に印刷ユニット（１５）又はシート反転ユニット（１６）を取付可能としたサテライト型印刷機である。【選択図】  図１
2004314435.tif 000002
【特許請求の範囲】
【請求項１】
共通圧胴（１）の外周に相当するサイドフレーム（２）の一部を切り欠いて共通取付部（１３）を形成しておき、該共通取付部（１３）に印刷ユニット（１５）又はシート反転ユニット（１６）を取付可能としたことを特徴とする融通可能なサテライト型印刷機。
【発明の詳細な説明】
【０００１】
【産業上の利用分野】
本発明は、枚葉印刷のためのサテライト型印刷機に関し、特に、印刷態様を変更できる融通可能なサテライト型印刷機に関する。
【０００２】
【発明の背景】
多数の（例えば４色分の）印刷ユニットを、大径の共通圧胴を中心にしてサテライト状に配設して成るサテライト型印刷機が知られているが、このサテライト型印刷機は、多品種少量生産という印刷市場のニーズに応えるカラー印刷機として、新生面を開いている。
このサテライト型印刷機において、印刷機ユーザの実情に即して、印刷態様を随意に変更できると、更に使い勝手が良くなると思われる。例えば、印刷ユニットを更に追加したり、また、シートの反転機能を介在させることが考えられる。
【０００３】
【従来の技術】
特開昭６０−２５５４３４号公報にあっては、旧来の直列型印刷機について、各種の印刷胴を支持するサイドフレームに複数の軸受用孔を設けておき、これらの軸受用孔に胴径が異なるシート搬送胴又はシート反転胴を取り付けて、選択的に印刷機の構造を変更する技術が開示されている。
【０００４】
【発明が解決しようとする課題】
しかしながら、直列型印刷機におけるこの従来技術は、サイドフレームの軸受用孔に胴を取り付け直すものであるので、構造変更の作業に多大な手間を必要とする。
また、変更の対象とされる胴がシートの搬送系統に直接係わるものであるため、見当合わせ等の各種の調整作業が非常に面倒なものとなる。
【０００５】
本発明は上記した問題に鑑みてなされ、進歩したサテライト型印刷機を提供するもので、その目的は、印刷態様を容易に変更できる融通可能なサテライト型印刷機を得ることにある。
【０００６】
【課題を解決するための手段】
そしてこのために、本発明に係る融通可能なサテライト型印刷機は、共通圧胴（１）の外周に相当するサイドフレーム（２）の一部を切り欠いて共通取付部（１３）を形成しておき、この共通取付部（１３）に印刷ユニット（１５）又はシート反転ユニット（１６）を取付可能としたものである。
【０００７】
【作用】
基本的には４色のカラー印刷機であるサテライト型印刷機が、共通取付部（１３）に印刷ユニット（１５）を付加すると５色の印刷機となり、また、共通取付部（１３）にシート反転ユニット（１６）を付加すると、表裏両面印刷が可能となる。
【０００８】
【実施例】
以下、図面を参照して、本発明の実施例につき詳細に説明する。図１は、本発明に係る融通可能なサテライト型印刷機の一実施例を示す概略説明図である。
【０００９】
図１の中央には大径の共通圧胴（１）が示されており、この共通圧胴（１）は、印刷機の１対のサイドフレーム（２）間に回転自在に支承され、図示しないモータにより、駆動される。
共通圧胴（１）の外周にはシート（３）の端部をくわえるくわえ爪（４）が複数個設けられ、上流側（図１の右側）の給紙装置（５）の給紙胴（６）からシート（３）を受け取り、所要の印刷を行った後、下流側（図１の左側）の排紙装置（７）のデリバリーチェーン（８）にシート（３）を引き渡すためのベースとなる。
【００１０】
共通圧胴（１）を中心にして、４組の固定印刷ユニット（９）がサテライト状に配設されている。これらの固定印刷ユニット（９）は、オフセット印刷を行うために、刷版を取り付けた版胴（１０）及び絵柄を転写するブランケット胴（１１）を有しており、加えて版胴（１０）にはインキ装置（１２）が連接される。
【００１１】
これらの固定印刷ユニット（９）は共通圧胴（１）を中心にしてサテライト状に配設されているが、その版胴（１０）の直径に対して共通圧胴（１）の直径は整数倍（例えば４倍）とされている。その理由は、図示しないモータによって駆動される共通圧胴（１）の回転に調速して、これらの固定印刷ユニット（９）に順次各色の重ね刷りを行わせるためである。
【００１２】
共通圧胴（１）の回転方向（図１では反時計回り）を基準にして、第２の固定印刷ユニット（９）と第３の固定印刷ユニット（９）との間において、共通圧胴（１）の外周に相当するサイドフレーム（２）の一部が切り欠かれ、共通取付部（１３）とされている。
この共通取付部（１３）は、共通圧胴（１）の外周から印刷機の外部に向けて開放されており、従って、外部からのアクセスが容易である。また、通常はゴミの侵入を防止するため、キャップ（１４）がサイドフレーム（２）の上部に載置固定されている。このキャップ（１４）にはまた、機体の組立精度を保つという役割もある。
【００１３】
共通取付部（１３）をキャップ（１４）で塞いだ図１の状態では４色のカラー印刷機であるが、図２の概略説明図に示すように、モジュール化された印刷ユニット（１５）を共通取付部（１３）に搭載することにより、５色のカラー印刷機とすることができる。
この場合、切り欠かれた共通取付部（１３）から印刷ユニット（１５）を共通圧胴（１）に向けて装着し、かつ、サイドフレーム（２）の上端において印刷ユニット（１５）を固定するだけで済む。
また、共通圧胴（１）側から歯車結合により印刷ユニット（１５）に駆動トルクを受けることができる。
なお、モジュール化されて付加される印刷ユニット（１５）として、他の固定印刷ユニット（９）と同じ仕様のオフセット印刷ユニットでもよいが、他の態様として、バーコード印刷ユニット、番号印刷ユニット等も考えられる。いずれの場合も、共通圧胴（１）をベースとして、正確な印字が可能となる。そして、このような印刷ユニットを装着することにより、印刷態様を一層多様化できる。
【００１４】
図３にあっては、共通取付部（１３）を利用して、モジュール化されたシート反転ユニット（１６）が搭載されている。シート反転ユニット（１６）は、共通圧胴（１）のくわえ爪（４）によってくわえられながら順次に重ね刷りされるシート（３）の表裏を途中で反転させるものであり、やはり、印刷機の外部から共通取付部（１３）を利用して共通圧胴（１）の外周に向けて装着することが必須である。
【００１５】
なお、図３に示したシート反転ユニット（１６）は、並行する複数のチェーングリッパ（１７）、（１８）と、両者の間の反転胴（１９）とによりシート（３）を反転するものであり、参考的に図４から図８までの動作説明図を添付している。
図４に示すように、共通圧胴（１）のくわえ爪（４）によってくわえられて搬送されてきたシート（３）の前縁は、第１のチェーングリッパ（１７）のグリッパ（２０）によって受け取られ、図５に示すように、第１のチェーングリッパ（１７）の走行につれて共通圧胴（１）から離間して行き、その後縁が反転胴（１９）の反転グリッパ（２１）によってくわえられる。
そして、図６に示すように、反転胴（１９）の回転とともにシート（３）の表裏が反転され、第２のチェーングリッパ（１８）のグリッパ（２２）に受け渡される（図７）。
その後シート（３）は、第２のチェーングリッパ（１８）の走行につれて再び共通圧胴（１）に接近し、表裏が反転されてくわえ爪（４）に渡されるのである（図８）。
【００１６】
本発明において、サイドフレーム（２）の一部を切り欠いて形成される共通取付部（１３）は、共通圧胴（１）の外周に相当する部位に設けられるが、これは、付加されるユニットがいずれも共通圧胴（１）に係わるからである。
また、共通取付部（１３）は印刷機の外部に向けて開放されており、従って、外部から用意にアクセスでき、変更作業がやり易い。
更に、サイドフレーム（２）に各種のユニットを共通して搭載固定することができる。
【００１７】
【発明の効果】
本発明に係る融通可能なサテライト型印刷機によれば、サイドフレームの共通取付部を利用して、各種のユニットを随意に付加することができるので、印刷態様を簡便に多様化して、サテライト型印刷機の利便性を飛躍的に向上させることができる。
【図面の簡単な説明】
【図１】本発明に係る融通可能なサテライト型印刷機の一実施例を示す概略説明図である。
【図２】共通取付部に印刷ユニットを付加した状態を示す部分的説明図である。
【図３】共通取付部にシート反転ユニットを付加した状態を示す部分的説明図である。
【図４】以下は、シート反転ユニットの機能を参考的に示す動作説明図であり、本図は共通圧胴から第１のチェーングリッパにシートを受け渡す状態を示している。
【図５】シートが第１のチェーングリッパから反転胴に受け渡される状態を示す動作説明図である。
【図６】シートが反転胴によって反転される状態を示す動作説明図である。
【図７】シートが反転胴から第２のチェーングリッパに受け渡される状態を示す動作説明図である。
【図８】シートが第２のチェーングリッパから再び共通圧胴に渡される状態を示す動作説明図である。
【符号の説明】
１        共通圧胴
２        サイドフレーム
３        シート
４        くわえ爪
９        固定印刷ユニット
１３      共通取付部
１４      キャップ
１５      印刷ユニット
１６      シート反転ユニット
１７      チェーングリッパ
１８      チェーングリッパ
１９      反転胴
【図１】
2004314435.tif 000003
【図２】
2004314435.tif 000004
【図３】
2004314435.tif 000005
【図４】
2004314435.tif 000006
【図５】
2004314435.tif 000007
【図６】
2004314435.tif 000008
【図７】
2004314435.tif 000009
【図８】
2004314435.tif 000010